(57)【要約】【課題】配管の必要長さを極力短縮することができ、また配管工事を容易に実施することが可能で大幅なコスト低減を実現でき、さらに住宅壁面に余計な配管用孔を開設する必要もなく、多くの集合住宅にも後から容易に施工することができる追焚暖房装置を提供する。【解決手段】追焚と暖房とに切り替える切替手段３０を、風呂給湯器１１の近傍であるか否かに拘わらず、浴室１外ではなく浴室１内において、浴槽２の背面側と浴室１壁面との隙間に設置する。【選択図】図１
2004020168.tif 000002
【特許請求の範囲】
【請求項１】
浴室外に設置される風呂給湯器と、該風呂給湯器と浴室内の浴槽とを連通接続する追焚経路と、該追焚経路より分岐する暖房経路と、該暖房経路の途中に配される浴室暖房手段と、前記暖房経路を通じて前記浴槽を迂回する閉回路の形成される閉状態と前記浴槽を介する開状態とに前記追焚経路を切り替える切替手段とを有する追焚暖房装置において、
前記切替手段を前記浴室内に設置したことを特徴とする追焚暖房装置。
【請求項２】
前記切替手段を、前記浴槽の背面側と浴室壁面との隙間に設置したことを特徴とする請求項１記載の追焚暖房装置。
【請求項３】
前記切替手段は、防水加工されたハウジング内に各種の関連部品を収めて成り、該関連部品のうち所定長さ以上の厚さを備える各部品を、前記ハウジング内で互いに平面視で重ならない状態に配置したことを特徴とする請求項２記載の追焚暖房装置。
【請求項４】
前記切替手段を、支持手段を介して浴室フロア面より上方に離隔させた位置に支持したことを特徴とする請求項１，２または３記載の追焚暖房装置。
【請求項５】
前記切替手段と、前記暖房経路と、前記浴室暖房手段とを、既設の前記風呂給湯器および前記追焚経路に後付け可能なユニットとして構成したことを特徴とする請求項１，２，３または４記載の追焚暖房装置。
【請求項６】
請求項５に記載の前記切替手段と、前記暖房経路と、前記浴室暖房手段とを、既設の前記風呂給湯器および前記追焚経路に後付け可能に構成したことを特徴とする浴室暖房ユニット。
【発明の詳細な説明】
【０００１】
【発明の属する技術分野】
本発明は、浴室外に設置される風呂給湯器と、該風呂給湯器と浴室内の浴槽とを連通接続する追焚経路と、該追焚経路より分岐する暖房経路と、該暖房経路の途中に配される浴室暖房手段と、前記暖房経路を通じて前記浴槽を迂回する閉回路の形成される閉状態と前記浴槽を介する開状態とに前記追焚経路を切り替える切替手段とを有する追焚暖房装置に関する。
【０００２】
【従来の技術】
従来、風呂の追焚の他にも浴室を暖房する機能を備えた追焚暖房装置には、例えば、浴室外に設置された風呂給湯器と浴室内の浴槽とを連通接続する追焚経路の戻管と往管のそれぞれ途中に三方弁を取り付け、浴槽に代えて浴室暖房ユニット内の放熱器を経由する閉回路が形成されるように、前記追焚経路を切り替え可能に構成したものが知られている。
【０００３】
前記各三方弁は、他の関連部品と共にハウジング内に収められて切替ユニットを構成しており、かかる切替ユニットと前記浴室暖房ユニット、それに両者を連通接続する状態で前記追焚経路より分岐する暖房経路は、住宅に予め設置されている風呂給湯器にそれぞれ後付けできるタイプもある。
【０００４】
すなわち、図６に示すように、既築の集合住宅にあっては、パイプスペースやベランダに風呂給湯器３が予め設置されているが、図７に示すように、同じくパイプスペース等において切替ユニット４を風呂給湯器３の近傍に設置し、浴室１内には浴室暖房ユニット５を設置する。さらに新規に暖房経路７を、風呂給湯器３の近傍にある切替ユニット４から浴室１内の浴室暖房ユニット５まで敷設すればよい。
【０００５】
もちろん、最初から図７に示すように、風呂給湯器３、切替ユニット４、浴室暖房ユニット５、それにこれらを連通接続する各々の配管経路６，７を予め住宅建設時に標準装備するように施工することも可能である。かかる場合には、切替ユニット４から延びる追焚経路６および暖房経路７の両方を、予めパイプスペース等に設置された切替ユニット４から浴室１内まで敷設していた。
【０００６】
【発明が解決しようとする課題】
しかしながら、前述したような従来の技術では、切替ユニット４や暖房配管７等を既存の住宅に後付けする場合にしろ、予め標準装備するように施工する場合にしろ、切替ユニット４を風呂給湯器３の近傍に位置させるべくパイプスペース等に設置するので、追焚経路６のみならず暖房経路７をも、切替ユニット４から浴室１まで相当な距離に敷設する必要があった。
【０００７】
そのため、必要な配管の長さが増大すると共に配管工数も増大し、工事に時間がかかり、コストアップの要因となるという問題があった。特に、既存の集合住宅に後付けするような場合には、集合住宅の構造強度を維持すべく壁に新たに配管用孔を開設することができない場合も多々あり、壁を貫通させるような暖房経路７の後付け工事自体が不可能な場合もあった。
【０００８】
本発明は、以上のような従来技術が有する問題点に着目してなされたもので、切替ユニットと浴室暖房ユニットとを連通接続する暖房配管の必要長さを極力短縮することができ、また、暖房配管の敷設に関する配管工事を容易に実施することが可能で大幅なコスト低減を実現でき、さらに住宅壁面に余計な配管用孔を開設する必要もなく、多くの集合住宅にも後から容易に施工することができる追焚暖房装置を提供することを目的としている。
【０００９】
【課題を解決するための手段】
前述した目的を達成するための本発明の要旨とするところは、次の各項の発明に存する。
［１］浴室（１）外に設置される風呂給湯器（１１）と、該風呂給湯器（１１）と浴室（１）内の浴槽（２）とを連通接続する追焚経路（２０）と、該追焚経路（２０）より分岐する暖房経路（４０）と、該暖房経路（４０）の途中に配される浴室暖房手段（５０）と、前記暖房経路（４０）を通じて前記浴槽（２）を迂回する閉回路の形成される閉状態と前記浴槽（２）を介する開状態とに前記追焚経路（２０）を切り替える切替手段（３０）とを有する追焚暖房装置（１０）において、
前記切替手段（３０）を前記浴室（１）内に設置したことを特徴とする追焚暖房装置（１０）。
【００１０】
［２］前記切替手段（３０）を、前記浴槽（２）の背面側と浴室（１）壁面との隙間に設置したことを特徴とする［１］記載の追焚暖房装置（１０）。
【００１１】
［３］前記切替手段（３０）は、防水加工されたハウジング（３０ａ）内に各種の関連部品を収めて成り、該関連部品のうち所定長さ以上の厚さを備える各部品を、前記ハウジング（３０ａ）内で互いに平面視で重ならない状態に配置したことを特徴とする［２］記載の追焚暖房装置（１０）。
【００１２】
［４］前記切替手段（３０）を、支持手段（３０ｂ，３１）を介して浴室（１）フロア面より上方に離隔させた位置に支持したことを特徴とする［１］，［２］または［３］記載の追焚暖房装置（１０）。
【００１３】
［５］前記切替手段（３０）と、前記暖房経路（４０）と、前記浴室暖房手段（５０）とを、既設の前記風呂給湯器（１１）および前記追焚経路（２０）に後付け可能なユニットとして構成したことを特徴とする［１］，［２］，［３］または［４］記載の追焚暖房装置（１０）。
【００１４】
［６］前記［５］に記載の前記切替手段（３０）と、前記暖房経路（４０）と、前記浴室暖房手段（５０）とを、既設の前記風呂給湯器（１１）および前記追焚経路（２０）に後付け可能に構成したことを特徴とする浴室暖房ユニット。
【００１５】
前記本発明は次のように作用する。
本発明に係る追焚暖房装置（１０）では、追焚と暖房とに切り替える切替手段（３０）を、風呂給湯器（１１）の近傍であるか否かに拘わらず、浴室（１）外ではなく浴室（１）内に設置する。それにより、浴室（１）外に設置された風呂給湯器（１１）から浴室（１）内まで延ばして敷設する配管は追焚経路（２０）だけでよく、浴室暖房手段（５０）が途中に配される暖房経路（４０）は、浴室（１）内の切替手段（３０）から同じ浴室（１）内の浴室暖房手段（５０）まで配管すれば足りる。
【００１６】
従って暖房経路（４０）は、追焚経路（２０）と同等の長さまで敷設する必要はなく、浴室（１）内で必要最小限な長さに設定することができる。ここで風呂給湯器（１１）および追焚経路（２０）に対して、切替手段（３０）、暖房経路（４０）、それに浴室暖房手段（５０）は、必ずしも一緒に施工する必要はなく、例えば、既設の風呂給湯器（１１）および追焚経路（２０）に対して、暖房機能に関する前記切替手段（３０）等を後付けするように施工してもよい。
【００１７】
かかる後付けの場合、あるいは最初から総てを施工する場合の何れにしても、面倒な暖房経路（４０）の配管工事を浴室（１）内だけで容易かつ迅速に行うことが可能となり、住宅壁面に対して追焚経路（２０）以外の配管用孔を開設する必要もない。なお、前述した後付けの場合を想定して、切替手段（３０）と暖房経路（４０）と浴室暖房手段（５０）とを、既設の風呂給湯器（１１）および追焚経路（２０）に後付け可能な浴室暖房ユニットとして予め構成すれば、なおさら後付け工事を簡単に行うことができる。
【００１８】
また、前記切替手段（３０）を、浴槽（２）の背面側と浴室（１）壁面との隙間に設置すれば、浴槽（２）背面側のデッドスペースを利用することにより、浴室（１）内の限られた有効なスペースを使用することなく、浴室（１）暖房を実現することができる。
【００１９】
ここで前記切替手段（３０）は、防水加工されたハウジング（３０ａ）内に各種の関連部品を収めて成るが、関連部品のうち所定長さ以上の厚さを備える各部品を、ハウジング（３０ａ）内で互いに平面視で重ならない状態に配置すれば、該ハウジング（３０ａ）の厚さを極力抑えて薄型化することが可能となり、前記浴槽（２）背面側のデッドスペースでも、切替手段（３０）をスペース的に余裕をもって配置させることができる。
【００２０】
さらにまた、前記切替手段（３０）を、支持手段（３０ｂ，３１）を介して浴室（１）フロア面より上方に離隔させた位置に支持すれば、切替手段（３０）が水に長期にわたり浸かる事態を回避することができ、該切替手段（３０）の防水精度レベルを比較的低く設定することで、容易に製造することも可能となる。
【００２１】
【発明の実施の形態】
以下、図面に基づき本発明を代表する実施の形態を説明する。
図１〜図５は、本発明の一実施の形態を示している。
図１に示すように、追焚暖房装置１０は、風呂給湯器１１と、該風呂給湯器１１と浴室１内の浴槽２とを連通接続する追焚経路２０と、該追焚経路２０より分岐する暖房経路４０と、該暖房経路４０の途中に配されるバス暖ユニット（浴室暖房手段）５０と、前記暖房経路４０を通じて浴槽２を迂回する閉回路の形成される閉状態と浴槽２を介する開状態とに前記追焚経路２０を切り替えるバス暖切替ユニット（切替手段）３０とを有する。
【００２２】
風呂給湯器１１は、例えば集合住宅にあってはパイプスペースやベランダ等、浴室１外かつ専有スペース外に設置されるが、バス暖切替ユニット３０は、バス暖ユニット５０と同様に浴室１内に設置される。詳しくは図２および図３に示すように、バス暖切替ユニット３０は、浴槽２の背面２ａと浴室１の壁面１ａとの隙間に設置される。なお、図３中にて二点破線で示すような位置（Ａ），（Ｂ）に設置するようにしてもよい。
【００２３】
ここでバス暖切替ユニット３０は、図４に示すように、バス暖切替ユニット３０の背面側にある支持手段である取付金具３０ｂによってビス等により、浴室１のフロア面１ｂより上方に離隔させた位置で浴室１の壁面１ａに固定される。なお、図２中にて二点破線で示した支持手段である脚台３１を介して、浴室１のフロア面１ｂより上方に離隔させた位置に支持してもよい。さらに、浴槽２の背面２ａとバス暖切替ユニット３０との間には、弾性を有する緩衝材３２が介装されている。
【００２４】
図１に示すように、風呂の追焚きを行うための追焚経路２０は、浴室１外にある風呂給湯器１１から浴室１内まで延ばされてバス暖切替ユニット３０を経由し、浴槽２に連通接続されている。また、浴室１の暖房を行うための暖房経路４０は、バス暖切替ユニット３０内で追焚経路２０の途中より分岐し、浴室１の天井付近まで延ばされ、その途中にバス暖ユニット５０が配設されている。詳しくは順に後述する。
【００２５】
図５に示すように、風呂給湯器１１は、バーナ２１と、該バーナ２１によって加熱される熱交換器２２と、バーナ２１および熱交換器２２への給排気を行うための燃焼ファン２３を備えている。風呂の追焚きを行うための追焚経路２０は、熱交換器２２を複数回折り返すように通る受熱管２４と、浴槽２内の水を熱交換器２２側へ戻すための戻管２５と、熱交換器２２で加熱後の水を浴槽２へ導くための往管２６とから構成される。
【００２６】
戻管２５の途中には、追焚経路２０内の水を戻管２５から受熱管２４を経由して往管２６の方向へ流すための循環ポンプ２７が取り付けてある。また浴槽２への注湯時に図示省略の給湯回路から湯の供給を受けるための注湯管２８が戻管２５に接続されている。注湯管２８の途中には、常時は閉じられて注湯動作時に開放される注湯弁２９が取り付けてある。この他、戻管２５の途中には、図示省略の風呂水流スイッチや、風呂サーミスタ等が取り付けてある。また往管２６のうち熱交換器２２の出側近傍には、該箇所における水温を検出するための往風呂サーミスタ１２が取り付けてある。
【００２７】
追焚経路２０から延長された戻管２５および往管２６は、前述したように浴槽２の背面２ａと浴室１の壁面１ａとの隙間に設置されたバス暖切替ユニット３０を経由して、浴槽２へ通じている。バス暖切替ユニット３０の内部において、戻管２５の途中に三方弁Ａが、往管２６の途中に三方弁Ｂが取り付けてある。三方弁Ｂの部分から暖房経路４０が分岐して延長され、バス暖ユニット５０内の放熱器５１を経由して、バス暖切替ユニット３０に戻り、三方弁Ａに接続されている。
【００２８】
三方弁Ａおよび三方弁Ｂを切り替えることにより、追焚経路２０が暖房経路４０を通じて浴槽２を迂回して放熱器５１を経由する閉回路（図中の太線で表した回路）の形成される閉状態と、浴槽２を介し、暖房経路４０を切り離した開回路となる開状態とに切り替わるように設定されている。
【００２９】
暖房経路４０のうち放熱器５１への往管４１と戻管４２とが、バス暖切替ユニット３０の内部において放熱器５１を迂回するようにバイパス管４３で接続されている。また、バス暖切替ユニット３０の内部において、バイパス管４３と三方弁Ａとの間にはエア分離器４５が取り付けられており、このエア分離器４５と追焚経路２０の往管２６の間には、水温を検出するための中継サーミスタ４４ａが設けられている。また、追焚経路２０の戻管２５における三方弁Ａの前後にも、同じく水温を検出するための中継サーミスタ４４ｄ，４４ｅがそれぞれ設けられている。
【００３０】
また、前記中継サーミスタ４４ａの取り付けに関しては、図４に示すように、取付部４４ｂがバス暖切替ユニット３０の正面に対して所定角度θ（例えば略３０〜４５度）に傾けられており、この取付部４４ｂに対して取付座４４ｃを介してビスで固定するようになっている。それにより、棒状の中継サーミスタ４４ａはバス暖切替ユニット３０の正面に対して垂直には位置せず、斜めに倒れる状態に配されるため、バス暖切替ユニット３０の厚みが中継サーミスタ４４ａの全長分だけ必要となることもなく、その結果、バス暖切替ユニット３０全体の厚みを尚更薄くできるようになっている。
【００３１】
また、ビス止めする際のドライバーも、バス暖切替ユニット３０の正面側方より斜めに挿入して操作することになるので、中継サーミスタ４４ａの取り付け取り外し操作も容易となる。なお、他の前記中継サーミスタ４４ｄ，４４ｅに対応する取付部４４ｆ，４４ｇも、前記取付部４４ｂと同様にバス暖切替ユニット３０の正面に対して所定角度θに傾けられており、中継サーミスタ４４ｄ，４４ｅもバス暖切替ユニット３０の内部で斜めに倒れる状態に配されることになる。
【００３２】
図４に示すようにバス暖切替ユニット３０は、防水加工されたハウジング３０ａ内に各種の関連部品を収めて成り、該関連部品のうち所定長さ以上の厚さを備えた各部品である前記各三方弁Ａ，Ｂ、前記エア分離器４５、それに後述する制御回路６０は、ハウジング３０ａ内で互いに平面視で重ならない状態に配置されている。なお、図４中で「風呂」は浴槽２に相当し、「湯沸器」は風呂給湯器１１に相当し、「暖房機」はバス暖ユニット５０に相当するものである。
【００３３】
また、バス暖ユニット５０は、その内部に、放熱器５１と該放熱器５１に送風して温風を浴室１に送り出すための送風機５２とを有している。バス暖ユニット５０は、通常、浴室１の天井付近に設置される。なお、バス暖ユニット５０が天井付近に設置されると、圧損が大きくなり、閉回路を形成した際に循環ポンプ２７で水を循環させても、風呂流水スイッチがオンになるほどの流量を確保できない事態も生じ得る。このため浴室１内の比較的低所に設置されるバス暖切替ユニット３０の内部で、バス暖ユニット５０を迂回するためのバイパス管４３を設け、閉回路形成時における流量を稼ぐようになっている。
【００３４】
風呂給湯器１１の制御回路６０は、バス暖切替ユニット３０に内蔵されており、各種制御の中枢的役割を果たすＣＰＵ（中央処理装置）６１と、プログラムや各種の固定的データを記憶するＲＯＭ（リード・オンリ・メモリ）６２と、プログラムを実行する上で一時的に必要になるデータ等を記憶するためのＲＡＭ（ランダム・アクセス・メモリ）６３とを主要部とするものであり、ＣＰＵ６１には、入出力インターフェース回路６５を通じて燃焼ファン２３、送風機５２、三方弁Ａ、三方弁Ｂ、循環ポンプ２７、往風呂サーミスタ１２、中継サーミスタ４４ａ，ｄ，ｅ、注湯弁２９のほか図示省略の電磁弁やサーミスタセンサ等が接続されている。
【００３５】
また、図示省略の台所等に設置されるメインリモコンや浴室１内に設置される風呂リモコン等も接続されている。メインリモコンおよび風呂リモコンは、運転スイッチ等を含む操作部、液晶ディスプレイ等からなる表示部を有している。操作部には、暖房のオンオフを切り替えるスイッチもある。
【００３６】
次に作用を説明する。
図１に示すように本追焚暖房装置１０では、バス暖切替ユニット３０を、風呂給湯器１１の近傍であるか否かに拘わらず、浴室１外ではなく浴室１内に設置する。それにより、パイプスペース等の浴室１外にある風呂給湯器１１から浴室１内まで延ばして敷設する配管は追焚経路２０だけで済み、バス暖ユニット５０が途中に配される暖房経路４０は、浴室１内のバス暖切替ユニット３０から同じ浴室１内のバス暖ユニット５０まで配管すれば足りる。
【００３７】
すなわち暖房経路４０は、従来技術の如く追焚経路２０と同等の長さまで敷設する必要はなく、浴室１内で必要最小限な長さに設定することができる。ここで風呂給湯器１１および追焚経路２０に対して、バス暖切替ユニット３０、暖房経路４０、それにバス暖ユニット５０は、必ずしも一緒に施工する必要はなく、例えば、既設の風呂給湯器１１および追焚経路２０に対して、暖房機能に関する前記バス暖切替ユニット３０等を後付けするように施工してもよい。
【００３８】
後付けの場合、あるいは最初から総て施工する場合の何れにしても、面倒な暖房経路４０の配管工事を浴室１内だけで容易かつ迅速に行うことが可能となり、住宅壁面に対して追焚経路２０以外の配管用孔を開設する必要もない。また後付けの場合を想定して、バス暖切替ユニット３０と暖房経路４０とバス暖ユニット５０とを、既設の風呂給湯器１１および追焚経路２０に後付け可能な浴室暖房ユニットとして予め構成すれば、なおさら後付け工事を簡単に行うことができる。ここで浴室暖房ユニットは、風呂給湯器１１等とは別に製造販売が可能なものとなる。
【００３９】
また図２および図３に示すように、バス暖切替ユニット３０を、浴槽２の背面２ａと浴室１の壁面１ａとの隙間に設置することにより、浴槽２背面側のデッドスペースを有効に利用することになる。そのため、浴室１内の限られたスペースを減殺することが一切なく、浴室１内に十分なスペースを維持しつつ、快適な浴室暖房を実現することができる。
【００４０】
バス暖切替ユニット３０は、防水加工されたハウジング３０ａ内に各種の関連部品を収めて成るが、図４に示すように、関連部品のうち所定長さ以上の厚さを備える各部品である各三方弁Ａ，Ｂ、エア分離器４５、それに制御回路６０を、ハウジング３０ａ内で互いに平面視で重ならない状態に配置した。従って、ハウジング３０ａの厚さを極力抑えて薄型化することが可能となり、浴槽２背面側のデッドスペースでも、バス暖切替ユニット３０をスペース的に余裕をもって配置させることができる。
【００４１】
また図２に示すように、バス暖切替ユニット３０を、取付金具３０ｂを介して浴室１のフロア面１ｂより上方に離隔させた位置に支持したことで、バス暖切替ユニット３０が水に長期にわたり浸かる事態を回避することができ、該バス暖切替ユニット３０の防水精度レベルを比較的低く設定することで、容易に製造することも可能となる。
【００４２】
さらに、浴槽２の背面２ａとバス暖切替ユニット３０との間に、弾性を有する緩衝材３２を介装したことで、バス暖切替ユニット３０をしっかりと浴室１の壁面１ａに押さえつける状態に維持できるため、バス暖切替ユニット３０自体のガタつきや浴槽２の背面２ａが傷付くことを確実に防止することができる。
【００４３】
ところで図５において、追焚暖房装置１０で追焚運転を行う場合には、三方弁Ａおよび三方弁Ｂを切り替えて、追焚経路２０が浴槽２に連通する開回路を形成させる。かかる状態で、熱交換器２２での加熱を行い、循環ポンプ２７で追焚経路２０内の水を循環させることで、加熱後の水は往管２６を通って浴槽２へ導かれ、浴槽２内の水は戻管２５を通って熱交換器２２側へ戻されることにより、浴槽２内の水の追焚が行われる。
【００４４】
一方、追焚暖房装置１０で暖房運転を行う場合には、三方弁Ａおよび三方弁Ｂを切り替えて、暖房経路４０を水が循環する閉回路を形成させる。かかる状態で、熱交換器２２での加熱を行い、循環ポンプ２７で暖房経路４０内の水を循環させ、バス暖ユニット５０において、送風機５２を作動させて放熱器５１から放熱して浴室１の暖房が行われる。
【００４５】
なお、本発明の実施の形態を図面によって説明してきたが、具体的な構成はこれらの実施の形態に限られるものではなく、本発明の要旨を逸脱しない範囲における変更や追加があっても本発明に含まれる。例えば、バス暖切替ユニット３０の設置場所は、浴槽２の背面２ａと浴室１の壁面１ａとの隙間に限られることはなく、浴室１内に他のデッドスペースがあればそこに設置すればよい。また、風呂給湯器１１の制御回路６０はバス暖切替ユニット３０に内蔵したが、バス暖切替ユニット３０ではなく風呂給湯器１１の方に予め内蔵するように構成してもよい。
【００４６】
【発明の効果】
本発明に係る追焚暖房装置によれば、追焚と暖房とに切り替える切替手段を、風呂給湯器の近傍であるか否かに拘わらず、浴室外ではなく浴室内に設置することにより、浴室外にある風呂給湯器から浴室内まで延ばして敷設する配管は追焚経路だけでよく、浴室暖房手段が途中に配される暖房経路は、浴室内の切替手段から同じ浴室内の浴室暖房手段まで配管すれば足りるから、暖房経路の配管の必要長さを極力短縮することができ、また配管工事を容易に実施することが可能で大幅なコスト低減を実現でき、さらに住宅壁面に余計な配管用孔を開設する必要もなく、多くの集合住宅にも後から容易に施工することができる。
【００４７】
また、前記切替手段を、浴槽の背面側と浴室壁面との隙間に設置すれば、浴槽背面側のデッドスペースを利用することにより、浴室内の限られた有効なスペースを使用することなく、浴室暖房を実現することができる。ここで前記切替手段のハウジング内に収める各種関連部品のうち、所定長さ以上の厚さを備える各部品を、ハウジング内で互いに平面視で重ならない状態に配置すれば、該ハウジングの厚さを極力抑えて薄型化することが可能となり、前記浴槽背面側のデッドスペースでも、切替手段をスペース的に余裕をもって配置させることができる。
【００４８】
また、前記切替手段を、支持手段を介して浴室フロア面より上方に離隔させた位置に支持すれば、切替手段が水に長期にわたり浸かる事態を回避することができ、該切替手段の防水精度レベルを比較的低く設定することで、容易に製造することも可能となる。さらに、前記切替手段と前記暖房経路と前記浴室暖房手段とを、既設の風呂給湯器および追焚経路に後付け可能な浴室暖房ユニットとして予め構成すれば、なおさら後付け工事を簡単に行うことができる。
【図面の簡単な説明】
【図１】本発明の一実施の形態に係る追焚暖房装置の設置レイアウトを概略的に示す模式図である。
【図２】本発明の一実施の形態に係る追焚暖房装置を構成するバス暖切替ユニットの具体的な設置箇所を示す浴室の縦断面図である。
【図３】本発明の一実施の形態に係る追焚暖房装置を構成するバス暖切替ユニットの具体的な設置箇所を示す浴室の平面図である。
【図４】本発明の一実施の形態に係る追焚暖房装置を構成するバス暖切替ユニットの内部を示す説明図である。
【図５】本発明の一実施の形態に係る追焚暖房装置を概略的に示す説明図である。
【図６】従来の既設された風呂給湯器および追焚経路の設置レイアウトを概略的に示す模式図である。
【図７】従来の追焚暖房装置の設置レイアウトを概略的に示す模式図である。
【符号の説明】
１…浴室
１ａ…壁面
１ｂ…フロア面
２…浴槽
２ａ…背面
１０…追焚暖房装置
１１…風呂給湯器
１２…往風呂サーミスタ
２０…追焚経路
２１…バーナ
２２…熱交換器
２３…燃焼ファン
２４…受熱管
２５…戻管
２６…往管
２７…循環ポンプ
２８…注湯管
２９…注湯弁
３０…バス暖切替ユニット（切替手段）
３０ａ…ハウジング
３０ｂ…取付金具（支持手段）
３１…脚台（支持手段）
３２…緩衝材
４０…暖房経路
４１…往管
４２…戻管
４３…バイパス管
４４ａ，４４ｄ，４４ｅ…中継サーミスタ
４５…エア分離器
５０…バス暖ユニット（浴室暖房手段）
５１…放熱器
５２…送風機
６０…制御回路
Ａ…三方弁
Ｂ…三方弁
【図１】
2004020168.tif 000003
【図２】
2004020168.tif 000004
【図３】
2004020168.tif 000005
【図４】
2004020168.tif 000006
【図５】
2004020168.tif 000007
【図６】
2004020168.tif 000008
【図７】
2004020168.tif 000009